(57)【要約】【課題】セグメント等の被保持物を容易に且つ確実に吊り下げることができる吊り具を提供することを課題とする。【解決手段】ストッパ解除部材６を本体１の先端部に向けて押すと、ストッパ５によるスライド部材３の拘束が解除されると共に付勢力に抗してスライド部材３がストッパ解除部材６と共にスライドしてタング部材２が格納位置に回動する。この状態で本体１を被保持物の係合孔に差し込み、その後、押圧しているストッパ解除部材６を解放すれば、付勢力によりスライド部材３が本体１の基端部に向かってスライドしてタング部材２が突出位置に回動し、係合面２ａが被保持物の係合孔の外周部に係合して吊り具が被保持物に取り付けられる。同様に、ストッパ解除部材６を押してタング部材２を格納位置に位置させた状態で本体１を係合孔から引き抜けば、吊り具が被保持物から取り外される。【選択図】        図１
2004352388.tif 000002
【特許請求の範囲】
【請求項１】
被保持物に形成された係合孔に通される本体と、
前記本体内に格納される格納位置と前記本体の側方に突出する突出位置との間で移動自在に前記本体の先端部に取り付けられるタング部材と、
前記本体の内部にスライド自在に配置されると共に前記タング部材に連結されたスライド部材と、
前記タング部材が突出位置に位置するように前記スライド部材を前記本体の基端部に向かって付勢する付勢手段と、
前記スライド部材に移動自在に取り付けられると共に前記スライド部材の外方に向かって付勢されて前記タング部材が突出位置になるような前記スライド部材の前記本体に対する位置を拘束するストッパと、
前記スライド部材よりも前記本体の基端部側にスライド自在に配置されると共にその先端部が前記ストッパに当接するストッパ解除部材と
を備え、前記ストッパ解除部材を前記本体の先端部に向かって押すと、前記ストッパによる前記スライド部材の拘束が解除され、さらに前記付勢手段による付勢力に抗して前記スライド部材が前記ストッパ解除部材と共に前記本体の先端部に向かってスライドして前記タング部材が格納位置に移動されることを特徴とする吊り具。
【発明の詳細な説明】
【０００１】
【発明の属する技術分野】
この発明は、吊り具に係り、特にシールド等に用いられるスチール製のセグメントを吊り下げるための吊り具に関する。
【０００２】
【従来の技術】
従来、トンネルのシールド等に用いられるスチール製のセグメントを吊り下げる際には、Ｌ字状の金具が使用され、セグメントに形成された係合孔に金具を引っ掛けて吊り下げていた。このため、金具にセグメントの重量がかかった吊り下げ状態では金具がセグメントの係合孔にしっかりと係合して外れることはないが、セグメントの重量が金具にまだ十分にかからない吊り下げ直前においては、金具が係合孔から外れやすく、作業者がそれぞれの金具を押さえていなければならなかった。
また、ボルトナット方式の吊り具を係合孔に係合させてセグメントを吊り下げようとしても、例えば複数のセグメントを積み重ねた状態で吊る場合等には、セグメントの中に手が入らず、ナット締めができないという問題があった。
【０００３】
さらに、特許文献１には、被保持物にボルトの頭部に対応した特殊な形状の貫通孔を形成し、この貫通孔にボルトを挿通して所定角度回転することによりボルトの頭部を係合させ、吊り孔を有するアイナットをボルトの先端に螺合して被保持物を吊り下げる吊り具が開示されているが、被保持物に特殊な形状の貫通孔を開けなければならず、使いやすいものではなかった。
【０００４】
【特許文献１】
特開平５−３３０７８２号公報
【０００５】
【発明が解決しようとする課題】
このように、従来は、シールド等に用いられるセグメントを容易に且つ確実に吊り下げることが困難であった。
この発明はこのような問題点を解消するためになされたもので、セグメント等の被保持物を容易に且つ確実に吊り下げることができる吊り具を提供することを目的とする。
【０００６】
【課題を解決するための手段】
この発明に係る吊り具は、被保持物に形成された係合孔に通される本体と、本体内に格納される格納位置と本体の側方に突出する突出位置との間で移動自在に本体の先端部に取り付けられるタング部材と、本体の内部にスライド自在に配置されると共にタング部材に連結されたスライド部材と、タング部材が突出位置に位置するようにスライド部材を本体の基端部に向かって付勢する付勢手段と、スライド部材に移動自在に取り付けられると共にスライド部材の外方に向かって付勢されてタング部材が突出位置になるようなスライド部材の本体に対する位置を拘束するストッパと、スライド部材よりも本体の基端部側にスライド自在に配置されると共にその先端部がストッパに当接するストッパ解除部材とを備え、ストッパ解除部材を本体の先端部に向かって押すと、ストッパによるスライド部材の拘束が解除され、さらに付勢手段による付勢力に抗してスライド部材がストッパ解除部材と共に本体の先端部に向かってスライドしてタング部材が格納位置に移動されるものである。
【０００７】
【発明の実施の形態】
以下、この発明の実施の形態を添付図面に基づいて説明する。
図１にこの発明の実施の形態に係る吊り具を示す。この吊り具は、スチール製のセグメント等の被保持物に形成された係合孔に通される本体１を有している。本体１には、その先端部にタング部材２が、その基端部にスライド部材３がそれぞれ配置されており、これらタング部材２とスライド部材３とが本体１内に通されたロッド部材４を介して互いに連結されている。また、スライド部材３は一対のストッパ５を有すると共に本体１のスライド部材３より基端部側にはストッパ解除部材６が配置されている。さらに、本体１はその外側部に吊り下げ用の吊り孔７を有している。
【０００８】
タング部材２は、ピン８により本体１に回動自在に取り付けられている。タング部材２の一端には係合面２ａが形成されており、タング部材２はこの係合面２ａが本体１内に格納される格納位置と係合面２ａが本体１の側方に突出する突出位置との間で回動するようになっている。なお、タング部材２が突出位置にあるときには、その係合面２ａが本体１の長手方向に対して垂直に位置する。
【０００９】
また、本体１の基端部には円柱状の空洞部９が形成されており、この空洞部９内にほぼ円柱状のスライド部材３がスライド自在に配置されている。ここでロッド部材４は、本体１に対してスライド自在に設けられると共にその両端がタング部材２とスライド部材３とにそれぞれ回動自在に接続されている。空洞部９内でスライド部材３をスライドさせると、スライド部材３と共にロッド部材４がスライドしてタング部材２を突出位置と格納位置との間で回動させることができる。
また、空洞部９内にはスライド部材３よりも先端部側に付勢手段であるバネ１０が配置されており、このバネ１０によりスライド部材３はタング部材２が突出位置に位置するように本体１の基端部に向かって付勢されている。なお、空洞部９を形成している本体１の内壁面には環状のストッパ係合溝１ａが形成されている。
【００１０】
さらに、スライド部材３の外周部には、図２に示されるような一対のストッパ収容部１１が互いに対向するように形成されており、各ストッパ収容部１１内にストッパ５がピン１２を介して回動自在に取り付けられている。また、スライド部材３には一対のストッパ収容部１１を互いに連通する貫通孔１３が形成されると共に貫通孔１３内にバネ１４が通されており、このバネ１４は一対のストッパ５がストッパ収容部１１の外部へ突出するように各ストッパ５をスライド部材３の径方向外方に向かって付勢している。これら一対のストッパ５がストッパ収容部１１から突出して本体１の内壁面のストッパ係合溝１ａに係合することにより、本体１に対するスライド部材３の位置はタング部材２が突出位置になるような位置に拘束されるようになっている。さらに、スライド部材３の外周部には段差１５が形成されている。なお、スライド部材３はその中央にネジ切り孔３ａを有している。
【００１１】
また、スライド部材３よりも本体１の基端部側に配置されるストッパ解除部材６は、本体１に対してスライド自在に設けられると共に、その先端部側に、すなわち、スライド部材３に対向してこのスライド部材３の一部を覆う凹部１６が形成され、先端縁部がスライド部材３の外部へ突出したストッパ５の部分に当接している。
【００１２】
さらに、ストッパ解除部材６の基端部は、作業者がこのストッパ解除部材６を操作しやすいように本体１の外部へ突出している。このストッパ解除部材６の基端部中央には先端部側の凹部１６に連通する貫通孔１７が形成されており、これら貫通孔１７と凹部１６との間には貫通孔１７の軸心に向かって突出した環状の係合部１８が形成されている。さらに、その頭部にフランジ部１９ａを有するボルト１９がストッパ解除部材６の貫通孔１７から凹部１６へと挿通されると共にボルト１９の先端がスライド部材３のネジ切り孔３ａに螺合されている。ここで、ボルト１９のフランジ部１９ａはストッパ解除部材６の係合部１８に係合しており、ストッパ解除部材６が本体１から脱落することが防止される。なお、ストッパ解除部材６の凹部１６内にはスライド部材３との間に空間が形成されている。
【００１３】
次に、この実施の形態に係る吊り具の作用について説明する。吊り具をスチール製のセグメント等の被保持物に取り付ける際には次のような手順で作業を行う。なお、吊り具の取り付けは被保持物に形成されている係合孔を利用して行われるが、被保持物に形成されている既存の係合孔を利用して、あるいは被保持物に所定の係合孔を形成して行われる。図１に示されるように、この実施の形態の吊り具が何も操作されていない通常状態、すなわち、ストッパ解除部材６が本体１の先端部に向かって押されていない状態では、タング部材２が突出位置に位置してその係合面２ａが本体１の側方に突出すると共にスライド部材３の一対のストッパ５が本体１の内壁面のストッパ係合溝１ａに係合してスライド部材３の本体１に対する位置が拘束されている。
【００１４】
ここで、ストッパ解除部材６を本体１の先端部に向けて押すと、図３に示されるように、ストッパ解除部材６がその凹部１６内に形成された空間を狭めるようにスライド部材３に対しスライドすると共にその先端縁部がバネ１４の付勢力に抗して一対のストッパ５を回動させ、これによりこれら一対のストッパ５がスライド部材３の一対のストッパ収容部１１内にそれぞれ収容されて各ストッパ５がストッパ係合溝１ａから外れる。すなわち、本体１に対するスライド部材３の位置の拘束が解除される。
【００１５】
そして、さらにストッパ解除部材６を本体１の先端部に向けて押し進めると、ストッパ解除部材６の先端部がスライド部材３の段差１５に当接することによりこのストッパ解除部材６を介してスライド部材３が本体１の先端部に向けて押される。すなわち、図４に示されるように、スライド部材３がバネ１０の付勢力に抗してストッパ解除部材６と共に空洞部９内を本体１の先端部に向けてスライドし、それと同時にロッド部材４も本体１の先端部に向けてスライドすることにより、タング部材２がピン８を中心に格納位置へ回動してその係合面２ａが本体１内に格納される。この状態のまま本体１を図示されない被保持物に形成された係合孔に差し込む。
【００１６】
そして、タング部材２が被保持物の係合孔を通過したところで、押圧しているストッパ解除部材６を解放すると、バネ１０の付勢力によりスライド部材３及びロッド部材４が共に本体１の基端部に向けてスライドし、それに伴ってタング部材２が突出位置に回動して図１に示されるようにその係合面２ａが本体１の側方に突出すると共に、スライド部材３の一対のストッパ５が本体１のストッパ係合溝１ａに係合してスライド部材３がその位置に拘束される。このようにして本体１の側方に突出したタング部材２の係合面２ａが被保持物の係合孔の外周部に係合し、これにより吊り具の被保持物への取り付けが完了する。この状態で本体１の吊り孔７を介して被保持物が吊り下げられる。
【００１７】
一方、吊り具を被保持物から取り外す場合、取り付けの場合と同様に、ストッパ解除部材６を本体１の先端部に向けて押すことにより、ストッパ５によるスライド部材３の拘束を解除すると共にバネ１０による付勢力に抗してスライド部材３をストッパ解除部材６と共に本体１の先端部に向かってスライドさせてタング部材２を格納位置に移動する。その状態で本体１の先端部を被保持物の係合孔から引き抜くことにより吊り具が被保持物から取り外される。
【００１８】
以上のように、この発明の吊り具は、被保持物に形成された係合孔を利用し、ストッパ解除部材６を本体１の先端部に向けて押してタング部材２を格納位置に位置させた状態で、本体１の先端部を被保持物の係合孔に通す或いは係合孔から引き抜くことによりワンタッチで取り付け及び取り外しが完了するため、被保持物への吊り具の取り付け／取り外しを容易に行うことができる。
【００１９】
また、スライド部材３のストッパ５が本体１のストッパ係合溝１ａに係合することにより、本体１に対するスライド部材３の位置はタング部材５が突出位置になるような位置に拘束されるため、本体１の側方に突出しているタング部材２の部分に何らかの外力が働いても、タング部材２が本体１内に格納されて吊り具が被保持物の係合孔から外れてしまうことがなく、その結果、吊り下げを確実に行うことができる。
【００２０】
さらに、ストッパ解除部材６を本体１の先端部に向けて押してタング部材２を格納位置に位置させた状態でこのストッパ解除部材６から手を離すと、バネ１０の付勢力によりスライド部材３とロッド部材４が共に本体１の基端部に向けてスライドし、これによりタング部材２が自動的に突出位置に回動するので、被保持物への吊り具の取り付け／取り外しをより容易に行うことができる。
【００２１】
なお、この発明の吊り具はスチール製のセグメントだけでなく、所定の係合孔が形成されたパネル、Ｈ型鋼やビーム等の鋼材及び構造物の吊り下げにも利用することができる。
【００２２】
【発明の効果】
以上説明したように、この発明によれば、被保持物に形成された係合孔に通される本体と、本体内に格納される格納位置と本体の側方に突出する突出位置との間で移動自在に本体の先端部に取り付けられるタング部材と、本体の内部にスライド自在に配置されると共にタング部材に連結されたスライド部材と、タング部材が突出位置に位置するようにスライド部材を本体の基端部に向かって付勢する付勢手段と、スライド部材に移動自在に取り付けられると共にスライド部材の外方に向かって付勢されてタング部材が突出位置になるようなスライド部材の本体に対する位置を拘束するストッパと、スライド部材よりも本体の基端部側にスライド自在に配置されると共にその先端部がストッパに当接するストッパ解除部材とを備え、ストッパ解除部材を本体の先端部に向かって押すと、ストッパによるスライド部材の拘束が解除され、さらに付勢手段による付勢力に抗してスライド部材がストッパ解除部材と共に本体の先端部に向かってスライドしてタング部材が格納位置に移動されるので、この吊り具によりセグメント等の被保持物を容易に且つ確実に吊り下げることができる。
【図面の簡単な説明】
【図１】この発明の実施の形態に係る吊り具の側面断面図である。
【図２】実施の形態におけるスライド部材の正面図である。
【図３】この発明の実施の形態に係る吊り具におけるストッパが解除された様子を示す側面断面図である。
【図４】この発明の実施の形態に係る吊り具におけるタング部材が格納された様子を示す側面断面図である。
【符号の説明】
１  本体、１ａ  ストッパ係合溝、２  タング部材、２ａ  係合面、３  スライド部材、３ａ  ネジ切り孔、４  ロッド部材、５  ストッパ、６  ストッパ解除部材、７  吊り孔、８，１２  ピン、９  空洞部、１０，１４  バネ、１１  ストッパ収容部、１３，１７  貫通孔、１５  段差、１６  凹部、１８  係合部、１９  ボルト、１９ａ  フランジ部。
【図１】
2004352388.tif 000003
【図２】
2004352388.tif 000004
【図３】
2004352388.tif 000005
【図４】
2004352388.tif 000006